(57)【特許請求の範囲】
【請求項１】
複数の紙片が非感圧系の接着剤又は紙片を密とさせない程度の加圧で接着する感圧接着剤により剥離不能に接着される積層厚紙体と、
前記積層厚紙体における所定の積層間の所定部分に、白色インキに紙色以外の有色インキを混合させた紫外線硬化型の印刷インキにより形成される埋込情報と、
を有し、
前記積層厚紙体の埋込情報対応部分を紙厚方向で密とさせることなく光に透かしたときに前記埋込情報が視認されることを特徴とする情報形成シート。
【発明の詳細な説明】
【技術分野】
【０００１】
本発明は、透かし情報が形成される情報形成シートに関する。
【背景技術】
【０００２】
近年、情報形成シートの代表的なものとして、保険証書や偽造防止のための透かし情報が形成された金券証書類等が知られている。これら証書類は、主に厚紙が使用されることが多く、透かし効果を最適とさせる透かし情報を形成させることが望まれる。
【０００３】
従来、透かしが形成されたシートとして、特許文献１に示されているような帳票用紙がある。この透かし入り帳票用紙は、紙面上に白色顔料として酸化チタンを含有する紫外線硬化型紙色インキからなる紙色の遮光インキを部分的に印刷することで透かしを形成させたものである。
【０００４】
また、特許文献２に示されているような情報形成シートがある。この情報形成シートは、複数の紙片を感圧接着剤で積層した積層体の積層間に印刷インキにより埋め込み情報を形成し、加圧することで紙片の埋込情報部分を厚さ方向で密とさせたものである。
【０００５】
【特許文献１】特許第３４４４５３５号公報
【特許文献２】特許第４３６８２７８号公報
【発明の概要】
【発明が解決しようとする課題】
【０００６】
しかしながら、特許文献１の帳票用紙は、遮光インキが紙色であることから、使用される用紙の紙厚が厚くなるほど、特に印刷面の反対面からの透かし効果が薄れるという問題がある。例えば、紙厚９０μｍ以上の用紙の場合には透かし効果が得られなかった。
【０００７】
また、用紙の一方面に透かし標章部（遮光インキ）や飾りパターン、印字情報が形成されることから、用紙をローラ搬送させた際にローラとインキの接触で搬送特性に悪影響を与えるという問題がある。このような場合に、特許文献２のように用紙を積層体として積層間に透かし情報を形成させても更なる透かし効果が薄れてしまうということとなる。
【０００８】
そして、透かし情報は、特許文献２のように埋込情報部分に対応する紙片厚さ部分を密とさせることなく、紙厚の大な紙片に対して最適な効果を得られることが望ましいものである。
【０００９】
そこで、本発明は上記課題に鑑みなされたもので、透かし情報を偽造困難として透かし効果を最適とさせる情報形成シートを提供することを目的とする。
【課題を解決するための手段】
【００１０】
上記課題を解決するために、請求項１の発明では、複数の紙片が非感圧系の接着剤又は紙片を密とさせない程度の加圧で接着する感圧接着剤により剥離不能に接着される積層厚紙体と、前記積層厚紙体における所定の積層間の所定部分に、白色インキに紙色以外の有色インキを混合させた紫外線硬化型の印刷インキにより形成される埋込情報と、を有し、前記積層厚紙体の埋込情報対応部分を紙厚方向で密とさせることなく光に透かしたときに前記埋込情報が視認される構成とする。
【発明の効果】
【００１１】
本発明によれば、埋込情報を、非感圧系の接着剤又は紙片を密とさせない程度の加圧で接着する感圧接着剤により剥離不能に接着される積層厚紙体の所定の積層間の所定部分に、白色インキに紙色以外の有色インキを混合させた紫外線硬化型の印刷インキにより形成させ、積層厚紙体の埋込情報対応部分を紙厚方向で密とさせることなく光に透かしたときに視認させる構成とすることにより、積層構造の厚紙体に対して透かし情報を偽造困難として透かし効果を最適とさせることができるものである。
【図面の簡単な説明】
【００１２】
【図１】本発明に係る情報形成シートの第１実施形態の構成図である。
【図２】図１の情報形成シートの製造説明図である。
【図３】本発明に係る情報形成シートの第２実施形態の構成説明図である。
【図４】本発明に係る情報形成シートの第３実施形態の構成説明図である。
【発明を実施するための形態】
【００１３】
以下、本発明の実施形態を図により説明する。
図１に、本発明に係る情報形成シートの第１実施形態の構成図を示す。図１（Ａ）は情報形成シートの斜視図、図１（Ｂ）は図１（Ａ）のＡ−Ａ断面図であるが、図１（Ｂ）は構成を容易に示すために寸法等を無視して示している。図１（Ａ）、（Ｂ）において、情報形成シート１１は、第１紙片１２と第２紙片１３とが接着剤１４により剥離不能に接着された積層厚紙体であり、積層間の所定位置に埋込情報（例えば「Ａ」の文字）１５が紫外線硬化型の印刷インキにより形成される。なお、埋込情報１５には、デザイン、パターン、文字、図形等のあらゆる形態がある。
【００１４】
上記第１紙片１２及び第２紙片１３は、例えば、それぞれが６０Ｋｇ／ｍ2のものが使用され、紙厚がそれぞれ略９０μｍであり、積層厚紙体としては厚さが略１８０μｍとなる。また、これら第１紙片１２及び第２紙片１３は、本実施形態では、全体的に薄いベージュ色のものを使用し、また、第１紙片１２及び第２紙片１３の積層厚紙体として表面、裏面となる一方面又は両方面の全面又は所定部分に薄いオレンジ色の地紋を印刷により施したものを使用している。
【００１５】
上記埋込情報１５を印刷する紫外線硬化型の印刷インキは、ここでは、白インキに、紙色以外の有色インキとして、例えば黒インキを混合させたものが使用される。詳細には、総重量１Ｋｇの白インキとして二酸化チタンの白色顔料４００ｇ（４０％）を含有（残りは一般的な紫外線硬化樹脂の量となる）させたものであり、総重量２ｇの黒インキとして有色顔料カーボンブラックの黒色顔料０．３ｇ（１５％）を含有（残りは一般的な紫外線硬化樹脂の量となる）させたものである。印刷インキ全体における顔料比率は、白色顔料１００％に対して黒色顔料０．０７５％となる。なお、上記第１紙片１２及び第２紙片１３の積層厚紙体の紙厚（略１８０μｍ）に対して、上記白色インキに３ｇの黒色インキ（黒色顔料の含有率１５％）を含有させた場合には、埋込情報１５による透かし効果は満足のいくものではなかった。
【００１６】
白色顔料としては、亜鉛華、鉛白、リトポン、二酸化チタン、沈降性硫酸バリウムおよびバライト粉が知られているが、光の透過性を考慮すれば二酸化チタンが好ましい。有色顔料としては、黒色顔料（カーボンブラック）の他に、赤色顔料（鉛丹、酸化鉄赤）、黄色顔料（黄鉛、亜鉛黄（亜鉛黄１種、亜鉛黄２種））、青色顔料（ウルトラマリン青、プロシア青（フェロシアン化鉄カリ））等があり、紙色に応じて適宜選択される。なお、顔料として、有機顔料、無機顔料などを問わない。
【００１７】
上記のような印刷インキを用いて、埋込情報１５をオフセット印刷、スクリーン印刷、インクジェット印刷などにより、ここでは通常の盛厚として１μｍで印刷を行ったものである。
【００１８】
上記接着剤１４は、ここでは、水性エマルジョン系の接着剤であり、具体的には日栄化工株式会社製の商品名「ライフボンドＡＶ−８０３ＬＬ」（成分：酢酸ビニル共重合樹脂、エチレンビニルアルコール（ＥＶＡ））を使用し、これを第１紙片１２又は第２紙片１３に厚さ８μｍ（乾燥時４μｍとなる）で塗布させたものである。なお、第１紙片１２及び第２紙片１３の埋込情報対応部分の厚さ方向部分を密とさせない程度の加圧で接着できるものであれば感圧接着剤を使用してもよい。
【００１９】
そこで、図２に、図１の情報形成シートの製造説明図を示す。まず、図２（Ａ）に示すように、第１紙片１２上の所定部分に上記印刷インキにより埋込情報（「Ａ」）１５が印刷され、紫外線照射により硬化させて定着させる。この埋込情報１５が形成された面に、図２（Ｂ）に示すように、上記接着剤１４を８μｍ厚で塗布し、図２（Ｃ）に示すように、第２紙片１３を重ね合わせて接着させ、当該接着剤１４を乾燥させることで図１に示す情報形成シート１１とさせるものである。
【００２０】
なお、図２では、第１紙片１２及び第２紙片１３のそれぞれを枚葉として説明したが、それぞれの紙片を連続させた連続シートしてもよく、この場合に第１紙片１２の連続シート上に埋込情報１５を枚葉単位で印刷していき、接着剤１４を塗布した後に第２紙片１３の連続シートを重ね合わせて接着させ、枚葉単位で断裁させることで、図１に示す情報形成シート１１となるものである。
【００２１】
このように、積層厚紙体の積層間の所定部分に白色インキに紙色以外の有色インキを混合させた紫外線硬化型の印刷インキにより埋込情報を形成させ、積層厚紙体の埋込情報対応部分を紙厚方向で密とさせることなく光に透かしたときに視認させることから、積層構造の厚紙体に対して透かし情報を偽造困難として透かし効果を最適とさせることができるものである。
【００２２】
このことは、第１紙片１２や第２紙片１３に地紋が印刷形成されても透かし効果を低下させることもなく、また、前述の特許文献１の透かし入り帳票用紙と異なり、印刷インキが表面に現れることがなく、ローラ搬送において、搬送特性に悪影響を与えることはないものである。
【００２３】
次に、図３に、本発明に係る情報形成シートの第２実施形態の構成説明図を示す。本実施形態では２つ折りの情報形成シートを示したものである。まず、図３（Ａ）に示すように、上記第１紙片１２及び第２紙片１３が、適宜形成された折込線２２で連設されたシート基材２１の第１紙片１２の所定位置に、上記印刷インキにより埋込情報（「Ａ」）１５が印刷される。
【００２４】
続いて、図３（Ｂ）に示すように、第１紙片１２又は第２紙片１３の一方（図では第１紙片１２）の埋込情報１５が印刷された面に接着剤１４が塗布され、図３（Ｃ）に示すように、折込線２２に沿って、接着剤１４面で重ね合わされるように折り込むことによって、図１（Ａ）、（Ｂ）に示すような埋込情報１５が埋め込まれた情報形成シート１１として作製されるものである。
【００２５】
なお、図３では、シート基材２１を枚葉として説明したが、連続シート基材としてもよく、この場合に適宜予め折込線２２と枚葉とするための切取線を形成させておいてもよい。この場合に第１紙片１２の連続シート上に埋込情報１５を枚葉単位で印刷していき、接着剤１４を塗布した後に第２紙片１３の連続シートを重ね合わせて接着させ、枚葉単位で断裁させることで、図１に示す情報形成シート１１となるものである。
【００２６】
次に、図４に、本発明に係る情報形成シートの第３実施形態の構成説明図を示す。本実施形態では３つ折りの情報形成シートを示したものである。すなわち、図４（Ａ）に示すように、上記同様の紙厚（略１８０μｍ）又は３紙片の合計で略１８０μｍの厚さとなる第１紙片３２〜第３紙片３４が、適宜形成された折込線３５で連設されたシート基材３１における一方面（表面とする）の第１紙片３２の所定位置に上記同様の印刷インキが埋込情報（「Ａ」）３６を印刷すると共に、他方面（裏面）の第３紙片３４の所定位置に当該印刷インキが埋込情報（「Ｂ」）３７を印刷する。
【００２７】
続いて、図４（Ｂ）に示すように、第１紙片３２の埋込情報３６の印刷面に上記同様の接着剤１４を塗布し、第１紙片３２と第２紙片３３間の折込線３５に沿って、折り込んで接着させる。そして、図４（Ｃ）に示すように、裏面の第３紙片３４の埋込情報３７が印刷面に上記同様の接着剤１４を塗布し、第２紙片３３と第３紙片３４間の折込線３５に沿って、折り込んで接着させることにより、情報形成シート４１となる。
【００２８】
これによって、図４（Ｄ）に示すように、第１紙片３２側を表面とすると、表面からは埋込情報３６が透かし効果で視認可能となり、裏面からは埋込情報３７が透かし効果で視認可能となるものである。
【００２９】
このように、情報形成シート４１が、３つ折り形態であっても第１紙片３２側および第３紙片３４側の密部分で埋込情報３６，３７を透かし形態で視認可能とさせることができ、このような埋込情報１５を形態や形成位置等で高自由度に形成できるものである。なお、図４に示す実施形態では、３つ折りとしてＺ折りの場合を示したが、巻き込み折りであっても適用することができ、この場合には第１紙片３２〜第３紙片３４のうち隣接の各紙片に埋込情報３６，３７を形成すればよい。また、３つ折りに限らず、４つ折り等で適宜形成することも可能である。
【００３０】
なお、図４では、シート基材３１を枚葉として説明したが、連続シート基材としてもよく、この場合に適宜予め折込線３５と枚葉とするための切取線を形成させておいてもよいことは図３と同様である。
【００３１】
ところで、情報形成シート１１，４１に形成された埋込情報１５，３６，３７は、剥離不能に接着された積層体の積層間に形成されていることから、偽造が極めて困難であると共に複写機等によっても認識が困難であり、偽造防止効果をも奏するものである。また、偽造防止の観点からは、上記印刷インキに特定波長に反応する部材を含有させることにより、機械的な真贋判定を可能とさせることができるものである。
【産業上の利用可能性】
【００３２】
本発明の情報形成シートは、各種証明書等の他に、種々のチケット、金券類やレシート等に利用可能である。
【符号の説明】
【００３３】
１１，４１          情報形成シート
１２，３２          第１紙片
１３，３３          第２紙片
１４                接着剤
１５，３６，３７    埋込情報
２１，３１          シート基材
２２，３５          折込線
３４                第３紙片
【図１】
0005615071.tif 000002
【図２】
0005615071.tif 000003
【図３】
0005615071.tif 000004
【図４】
0005615071.tif 000005